(57)【要約】【課題】初めてのユーザにとっても具体的な操作方法が分かりやすいリモコン装置を提供する。【解決手段】このリモコン装置１００は、操作内容が記載された取扱説明書２５０が載置され、取扱説明書２５０の操作内容に対応する操作部分（領域Ｓ）にユーザが触れることにより、取扱説明書２５０に対応するテレビジョン装置２００に対するユーザの操作指示を受け付ける入力部１１および１２と、入力部１１および１２により受け付けられたユーザの操作指示に基づいてテレビジョン装置２００に対して制御信号を送信する送信部２１とを備える。【選択図】図５
2013239760.tif 000002
【特許請求の範囲】
【請求項１】
操作内容が記載された操作用シートが載置され、前記操作用シートの前記操作内容に対応する操作部分にユーザが選択的に触れることにより、前記操作用シートに対応する操作対象機器に対するユーザの操作指示を受け付ける受付部と、
前記受付部により受け付けられたユーザの前記操作指示に基づいて前記操作対象機器に対して制御信号を送信する送信部とを備える、リモコン装置。
【請求項２】
前記受付部は、タッチパネル構造を有しており、
前記操作用シートが前記受付部に重ねられた状態でユーザが前記操作用シートの前記操作内容に対応する前記操作部分を選択的に押圧することにより、前記操作内容に対応する前記操作部分に対向する前記タッチパネル構造の部分が選択的に押圧されて、前記操作対象機器に対するユーザの前記操作指示が前記受付部に受け付けられるように構成されている、請求項１に記載のリモコン装置。
【請求項３】
前記受付部に載置された前記操作用シートに対応する操作対象機器が識別可能に構成されており、
識別された前記操作対象機器に対応した前記制御信号を前記送信部から送信する制御を行う制御部をさらに備える、請求項１または２に記載のリモコン装置。
【請求項４】
前記操作用シートは、前記操作対象機器毎に設けられており、
前記操作用シートは、前記操作対象機器毎に、前記受付部に交換可能に載置されるように構成されており、
前記受付部に載置された前記操作用シートに基づいて、前記操作用シートに対応する前記操作対象機器が識別可能に構成されている、請求項３に記載のリモコン装置。
【請求項５】
前記操作用シートは、前記操作用シートに対応する操作対象機器を特定するための操作対象機器識別情報を有しており、
前記操作用シートが前記受付部に重ねられた状態で前記操作対象機器識別情報を検出する第１検出部をさらに備え、
前記制御部は、前記第１検出部の検出結果に基づいて、前記操作用シートに対応する操作対象機器を特定するとともに、特定された前記操作対象機器に対応した前記制御信号を前記送信部から送信する制御を行うように構成されている、請求項３または４に記載のリモコン装置。
【請求項６】
前記操作用シートは、前記操作内容が記載された複数のページに亘る冊子であり、
前記受付部は、前記冊子を開いた状態での一方側の第１ページが載置される第１受付部と、前記冊子を開いた状態での他方側の第２ページが載置される第２受付部とを含み、
前記第１受付部と前記第２受付部との少なくとも一方により受け付けられたユーザの前記操作指示に基づいて、前記操作対象機器に対する前記制御信号が前記送信部から送信されるように構成されている、請求項１〜５のいずれか１項に記載のリモコン装置。
【請求項７】
前記冊子を開いた状態での前記第１ページに記載された操作内容に基づくユーザの前記操作指示と、前記第２ページに記載された操作内容に基づくユーザの前記操作指示とによって、前記操作対象機器に対する所定の操作が完結されるように構成されている、請求項６に記載のリモコン装置。
【請求項８】
前記操作用シートは、前記操作内容が記載された複数のページに亘る冊子であり、
前記冊子には、ページが識別可能なページ識別部が設けられており、
前記ページ識別部により前記冊子の開かれたページを検出する第２検出部と、
前記第２検出部による前記冊子の開かれたページの検出結果に基づいて、前記冊子の開かれたページに記載された前記操作内容に対応した前記制御信号を前記送信部から送信する制御を行う制御部をさらに備える、請求項１〜７のいずれか１項に記載のリモコン装置。
【請求項９】
前記操作用シートにより前記操作対象機器の取扱説明書が構成されており、
前記操作用シートに対応する操作対象機器に対するユーザの前記操作指示が前記受付部により受け付けられることにより、ユーザは、前記取扱説明書の前記操作内容に沿って前記操作対象機器の操作を行うことが可能に構成されている、請求項１〜８のいずれか１項に記載のリモコン装置。
【請求項１０】
操作対象機器と、
前記操作対象機器を操作可能なリモコン装置とを備え、
前記リモコン装置は、
操作内容が記載された操作用シートが載置され、前記操作用シートの前記操作内容に対応する操作部分にユーザが選択的に触れることにより、前記操作用シートに対応する操作対象機器に対するユーザの操作指示を受け付ける受付部と、
前記受付部により受け付けられたユーザの前記操作指示に基づいて前記操作対象機器に対して制御信号を送信する送信部とを含み、
前記操作対象機器は、前記リモコン装置から送信される前記制御信号を受信するとともに、前記制御信号に対応して動作するように構成されている、リモコンシステム。
【発明の詳細な説明】
【技術分野】
【０００１】
この発明は、リモコン装置およびリモコンシステムに関し、特に、ユーザの操作指示を受け付ける受付部と、この操作指示に基づいた制御信号を操作対象機器に送信する送信部とを備えるリモコン装置およびリモコンシステムに関する。
【背景技術】
【０００２】
従来、ユーザの操作指示を受け付ける受付部と、この操作指示に基づいた制御信号を操作対象機器に送信する送信部とを備えるリモコン装置が知られている（たとえば、特許文献１参照）。
【０００３】
上記特許文献１には、タッチパネル構造を有する表示部を備え、給湯機などの住宅設備機器（操作対象機器）を遠隔操作することが可能に構成されたリモコン装置が開示されている。このリモコン装置では、物理的な操作ボタンなどは設けられておらず、操作対象機器の操作方法（リモコンの操作内容）を示す操作画面が表示部に表示されるように構成されている。また、操作画面は複数の操作ボタン画像からなり、ユーザが表示部内の操作ボタン画像を触れることにより、リモコン装置に対する操作指示が受け付けられるように構成されている。
【先行技術文献】
【特許文献】
【０００４】
【特許文献１】特開２００４−２９３９２１号公報
【発明の概要】
【発明が解決しようとする課題】
【０００５】
しかしながら、上記特許文献１に記載のリモコン装置では、操作内容（操作画面）が表示部内に単に表示されるのみのため、このリモコン装置に熟知したユーザにとっては支障なく操作が行える一方、このリモコン装置を初めて使用するユーザや、タッチパネル式の操作に馴染みのないユーザにとっては、リモコン装置の状態を把握しにくいと考えられる。このため、リモコン装置自体の使い方が分かりにくい場合があるという問題点がある。
【０００６】
この発明は、上記のような課題を解決するためになされたものであり、この発明の１つの目的は、初めてのユーザにとっても具体的な操作方法が分かりやすいリモコン装置およびリモコンシステムを提供することである。
【課題を解決するための手段】
【０００７】
この発明の第１の局面によるリモコン装置は、操作内容が記載された操作用シートが載置され、操作用シートの操作内容に対応する操作部分にユーザが選択的に触れることにより、操作用シートに対応する操作対象機器に対するユーザの操作指示を受け付ける受付部と、受付部により受け付けられたユーザの操作指示に基づいて操作対象機器に対して制御信号を送信する送信部とを備える。
【０００８】
この発明の第１の局面によるリモコン装置では、上記のように、操作内容が記載された操作用シートが載置され、操作用シートの操作内容に対応する操作部分にユーザが選択的に触れることにより、操作用シートに対応する操作対象機器に対するユーザの操作指示を受け付ける受付部を備えることによって、ユーザは、リモコン装置とは別体として構成された操作用シートを受付部に物理的に載置した状態で、この操作用シートに触れて操作対象機器に対する操作を行うことができる。すなわち、ユーザは、載置した操作用シートを介してリモコン装置を操作することを把握するので、このようなリモコン装置を初めて使用するユーザにとってもリモコン装置の具体的な使い方（操作方法）を分かりやすくすることができる。
【０００９】
上記第１の局面によるリモコン装置において、好ましくは、受付部は、タッチパネル構造を有しており、操作用シートが受付部に重ねられた状態でユーザが操作用シートの操作内容に対応する操作部分を選択的に押圧することにより、操作内容に対応する操作部分に対向するタッチパネル構造の部分が選択的に押圧されて、操作対象機器に対するユーザの操作指示が受付部に受け付けられるように構成されている。このように構成すれば、指やタッチペンなどを用いてユーザが操作用シートの操作内容に対応する操作部分を選択的に押圧することにより、操作用シートの裏面に対向するタッチパネル構造の部分を介してユーザの操作指示をリモコン装置に容易に入力することができる。
【００１０】
上記第１の局面によるリモコン装置において、好ましくは、受付部に載置された操作用シートに対応する操作対象機器が識別可能に構成されており、識別された操作対象機器に対応した制御信号を送信部から送信する制御を行う制御部をさらに備える。このように構成すれば、１台のリモコン装置を用いて受付部に載置された操作用シートに対応した操作対象機器を個別に操作することができる。すなわち、複数の操作対象機器に対して１台のリモコン装置を兼用することができるので、ユーザにとっては利便性が向上される。
【００１１】
上記受付部に載置された操作用シートに対応する操作対象機器が識別可能である構成において、好ましくは、操作用シートは、操作対象機器毎に設けられており、操作用シートは、操作対象機器毎に、受付部に交換可能に載置されるように構成されており、受付部に載置された操作用シートに基づいて、操作用シートに対応する操作対象機器が識別可能に構成されている。このように構成すれば、受付部に載置される操作用シートと、載置された操作用シートに基づいて操作可能となる操作対象機器とを、１対１対応で関係付けることができるので、操作用シートの交換とともに個々の操作対象機器に対応させてリモコン装置の動作モードを確実に切り換えることができる。
【００１２】
上記受付部に載置された操作用シートに対応する操作対象機器が識別可能である構成において、好ましくは、操作用シートは、操作用シートに対応する操作対象機器を特定するための操作対象機器識別情報を有しており、操作用シートが受付部に重ねられた状態で操作対象機器識別情報を検出する第１検出部をさらに備え、制御部は、第１検出部の検出結果に基づいて、操作用シートに対応する操作対象機器を特定するとともに、特定された操作対象機器に対応した制御信号を送信部から送信する制御を行うように構成されている。このように構成すれば、受付部に操作用シートを載置するだけで、第１検出部により操作対象機器を容易に特定することができる。
【００１３】
上記第１の局面によるリモコン装置において、好ましくは、操作用シートは、操作内容が記載された複数のページに亘る冊子であり、受付部は、冊子を開いた状態での一方側の第１ページが載置される第１受付部と、冊子を開いた状態での他方側の第２ページが載置される第２受付部とを含み、第１受付部と第２受付部との少なくとも一方により受け付けられたユーザの操作指示に基づいて、操作対象機器に対する制御信号が送信部から送信されるように構成されている。このように構成すれば、第１ページから第２ページに亘る見開き１ページの中に所定の操作内容を盛り込んで操作用シートを構成したとしても、ユーザは、見開き１ページを見渡して全体的な操作の流れを容易に把握しながら所定のリモコン操作を行うことができる。これにより、リモコン装置の操作性を向上させることができる。
【００１４】
この場合、好ましくは、冊子を開いた状態での第１ページに記載された操作内容に基づくユーザの操作指示と、第２ページに記載された操作内容に基づくユーザの操作指示とによって、操作対象機器に対する所定の操作が完結されるように構成されている。このように構成すれば、第１ページと第２ページとからなる冊子の見開き１ページ分の操作指示によって操作対象機器に対する所定の操作を完結させることができるので、リモコン装置の操作上、ユーザが現在のページに加えて冊子の他のページを開いて所定の操作を継続するような状況をなくすことができる。これにより、リモコン装置の操作性をより向上させることができる。
【００１５】
上記第１の局面によるリモコン装置において、好ましくは、操作用シートは、操作内容が記載された複数のページに亘る冊子であり、冊子には、ページが識別可能なページ識別部が設けられており、ページ識別部により冊子の開かれたページを検出する第２検出部と、第２検出部による冊子の開かれたページの検出結果に基づいて、冊子の開かれたページに記載された操作内容に対応した制御信号を送信部から送信する制御を行う制御部をさらに備える。このように構成すれば、第２検出部を用いて冊子の現在開かれているページを容易に検出することができるので、その開かれたページに記載された操作内容を容易に特定することができる。
【００１６】
上記第１の局面によるリモコン装置において、好ましくは、操作用シートにより操作対象機器の取扱説明書が構成されており、操作用シートに対応する操作対象機器に対するユーザの操作指示が受付部により受け付けられることにより、ユーザは、取扱説明書の操作内容に沿って操作対象機器の操作を行うことが可能に構成されている。このように構成すれば、操作対象機器に対する複雑（煩雑）な操作／設定などを行うような場合であっても、取扱説明書としての操作用シートの記載内容（操作内容）を指などで追い掛けながら、必要な操作内容が記載された部分を選択的に触れて操作対象機器に対する操作を行うことができる。すなわち、取扱説明書としての記載情報がリモコン装置の操作内容に結び付けられた操作用シートを有効に利用して操作対象機器に対する操作を行うことができるので、リモコン装置の付加価値を高めることができる。
【００１７】
この発明の第２の局面によるリモコンシステムは、操作対象機器と、操作対象機器を操作可能なリモコン装置とを備え、リモコン装置は、操作内容が記載された操作用シートが載置され、操作用シートの操作内容に対応する操作部分にユーザが選択的に触れることにより、操作用シートに対応する操作対象機器に対するユーザの操作指示を受け付ける受付部と、受付部により受け付けられたユーザの操作指示に基づいて操作対象機器に対して制御信号を送信する送信部とを含み、操作対象機器は、リモコン装置から送信される制御信号を受信するとともに、制御信号に対応して動作するように構成されている。
【００１８】
この発明の第２の局面によるリモコンシステムでは、上記のように、リモコン装置が、操作内容が記載された操作用シートが載置され、操作用シートの操作内容に対応する操作部分にユーザが選択的に触れることにより、操作用シートに対応する操作対象機器に対するユーザの操作指示を受け付ける受付部を含むことによって、ユーザは、リモコン装置とは別体として構成された操作用シートを受付部に物理的に載置した状態で、この操作用シートに触れてリモコンシステム内の操作対象機器に対する操作を行うことができる。すなわち、ユーザは、載置した操作用シートを介してリモコン装置を操作することを把握するので、本発明のリモコンシステムにおいてこのリモコン装置を初めて使用する場合でも、リモコン装置の具体的な使い方が分かりやすいものとなる。
【発明の効果】
【００１９】
本発明によれば、上記のように、ユーザは、載置した操作用シートを介してリモコン装置を操作することを把握するので、このようなリモコン装置を初めて使用するユーザにとってもリモコン装置の具体的な使い方（操作方法）を分かりやすくすることができる。
【図面の簡単な説明】
【００２０】
【図１】本発明の一実施形態によるリモコン装置の構成（使用時）を示した図である。
【図２】本発明の一実施形態によるリモコン装置の構成（非使用時）を示した斜視図である。
【図３】本発明の一実施形態によるリモコン装置およびこのリモコン装置が使用されるリモコンシステムの制御構成を示したブロック図である。
【図４】本発明の一実施形態によるリモコン装置を用いて操作される操作対象機器（テレビジョン装置）の取扱説明書を示した斜視図である。
【図５】本発明の一実施形態によるリモコン装置に、操作対象機器（テレビジョン装置）の取扱説明書が冊子を開いた状態で載置された状態を示した斜視図である。
【図６】本発明の一実施形態によるリモコン装置に、操作対象機器（テレビジョン装置）の取扱説明書が冊子を開いた状態で載置された状態を示した平面図である。
【図７】本発明の一実施形態によるリモコン装置を用いて操作される操作対象機器（テレビジョン装置）の取扱説明書を裏表紙側を上にして示した斜視図である。
【図８】本発明の一実施形態によるリモコン装置において、本体部に載置された取扱説明書のページ（見開きページ）を検出する方法を説明するための図である。
【図９】本発明の一実施形態によるリモコン装置において、本体部に載置された取扱説明書のページ（見開きページ）を検出する方法を説明するための図である。
【図１０】本発明の一実施形態によるリモコン装置を用いて操作対象機器を操作する際の制御部の処理フローを示した図である。
【図１１】本発明の一実施形態によるリモコン装置において、ＢＤレコーダの取扱説明書を本体部に載置した状態でテレビ番組の録画予約に関する操作方法を説明するための図である。
【発明を実施するための形態】
【００２１】
以下、本発明を具体化した実施形態を図面に基づいて説明する。
【００２２】
まず、図１〜図９および図１１を参照して、本発明の一実施形態によるリモコン装置１００の構成について説明する。また、本実施形態では、リモコン装置１００を使用してテレビジョン装置２００およびＢＤレコーダ３００を操作する場合を想定して説明を行う。なお、テレビジョン装置２００およびＢＤレコーダ３００は、本発明の「操作対象機器」の一例である。
【００２３】
本発明の一実施形態によるリモコン装置１００は、図１に示すように、一方側（Ｘ１側）の入力部１１および他方側（Ｘ２側）の入力部１２からなる本体部１０を備えている。入力部１１および入力部１２は、各々の長手方向（Ｙ方向）に延びる辺部１１ａ（Ｘ２側）および辺部１２ａ（Ｘ１側）の近傍において、ヒンジ部１３を介して互いに回動可能に連結されている。したがって、本体部１０は、図２に示すように、入力部１２を下（Ｚ２側）にした状態でヒンジ部１３を中心として入力部１１を矢印Ａ方向に略１８０度回転（反転）させることにより、入力部１２上に入力部１１を対向させて折り畳むことが可能に構成されている。なお、入力部１１および１２は、本発明の「受付部」の一例である。また、入力部１１および１２は、それぞれ、本発明の「第１受付部」および「第２受付部」の一例である。
【００２４】
ここで、リモコン装置１００は、図２の状態（折り畳んだ状態（非使用時））では使用されずに、図１の状態（開いた状態（使用時））で使用されるように構成されている。また、リモコン装置１００は、入力部１１が矢印Ｂ方向に回転されて折り畳まれた状態から開いた状態に形状が変更されることにより、本体部１０が使用可能な状態になるように構成されている。また、開いた状態から折り畳まれることにより、本体部１０はスタンバイ状態になるように構成されている。
【００２５】
また、本体部１０を開いた状態で向かって左側（Ｘ１側）に配置される入力部１１は、図１に示すように、所定の形状に形成された筐体１４と、筐体１４の枠状部１４ａの内側に露出する静電容量方式のタッチパネル部１５とを含んでいる。同様に、向かって右側（Ｘ２側）に配置される入力部１２は、筐体１４と対称形状を有する筐体１６と、筐体１６の枠状部１６ａの内側に露出する静電容量方式のタッチパネル部１７とを含んでいる。また、タッチパネル部１５および１７は、本体部１０の後述する載置面１０ａを構成している。したがって、本体部１０は、ユーザが指などで略矩形形状（Ｘ方向およびＹ方向）に広がるタッチパネル部１５および１７内の所定の座標位置を押圧することによって、ユーザによる指示を受け付ける機能を有している。
【００２６】
また、ヒンジ部１３を介して折り畳まれる本体部１０には、図１に示すように、バインダ部１８（２箇所）が設けられている。バインダ部１８は、本体部１０が開かれた状態で紙面手前側に露出するように構成されている。また、バインダ部１８は、本体部１０を閉じた場合（図２参照）には、図示しない機構を用いて互いに対向する入力部１１および入力部１２の間に収納されるように構成されている。また、逆さＵ字状に形成されたバインダ部１８は、本体部１０が開かれた状態でユーザが指などを引っ掛けて両側（Ｘ１側およびＸ２側）に引き離すことにより、略中央部から左右に分割されるように構成されている。
【００２７】
ここで、本実施形態では、テレビジョン装置２００（図３参照）に付属する後述する小冊子状の取扱説明書２５０（図４参照）が、バインダ部１８を介してリモコン装置１００の本体部１０に着脱可能に綴じられるように構成されている。すなわち、図４に示すように、取扱説明書２５０の背表紙側（Ｘ１側）に寄せられた位置には、取扱説明書２５０を厚み方向（Ｚ方向）に貫通する２つの貫通孔２５１が形成されている。貫通孔２５１同士のＹ方向の間隔は、リモコン装置１００のバインダ部１８（図１参照）同士の間隔と略等しい。これにより、各々の貫通孔２５１が、対応するバインダ部１８に通されることにより、取扱説明書２５０が本体部１０に綴じられるように構成されている。したがって、図５に示すように、ユーザは、取扱説明書２５０を本体部１０の載置面１０ａに載置した状態で冊子を開いて閲覧することが可能に構成されている。なお、取扱説明書２５０は、本発明の「操作用シート」の一例である。
【００２８】
また、本実施形態では、バインダ部１８を左右に開いて本体部１０から取扱説明書２５０を取り外した後、たとえば、ＢＤレコーダ３００（図３参照）に付属する取扱説明書３５０（図１１参照）を載置面１０ａに載置することも可能に構成されている。このように、テレビジョン装置２００用の取扱説明書２５０およびＢＤレコーダ３００用の取扱説明書３５０は、互いに、本体部１０に交換可能に載置される。なお、取扱説明書３５０は、本発明の「操作用シート」の一例である。
【００２９】
また、本体部１０には、図３に示すように、ＣＰＵからなる制御部２０と、送信部２１と、ＲＯＭ２２と、ＲＡＭ２３と、バッテリ２４とが内蔵されている。
【００３０】
制御部２０は、本体部１０の制御を司る機能を有している。送信部２１は、入力部１１および入力部１２が受け付けたユーザによる指示（リモコン操作）が制御部２０により所定の制御信号に変換された後、本体部１０からリモコン装置１００の操作対象となるテレビジョン装置２００またはＢＤレコーダ３００にこの制御信号を送信する機能を有している。なお、制御信号の送信には、赤外線通信などの無線通信が用いられる。また、ＲＯＭ２２には、制御部２０が実行するリモコン装置１００の制御プログラムなどが格納されている。ＲＡＭ２３は、制御プログラムが実行される際に用いられる制御上のパラメータを一時的に保存する作業用メモリとして用いられる。
【００３１】
また、テレビジョン装置２００は、図３に示すように、放送信号を受信する受信部（チューナ）２０１と、映像を表示する表示部２０２と、音声を出力するスピーカ部２０３と、装置本体の制御を統括する制御部２０４と、リモコン装置１００からの制御信号（赤外線信号）を受信する操作信号受信部２０５とを備えている。また、ＢＤレコーダ３００は、放送信号を受信する受信部（チューナ）３０１と、ブルーレイディスク（図示せず）に映像および音声を記録する記録部３０２と、装置本体の制御を統括する制御部３０３と、リモコン装置１００からの制御信号を受信する操作信号受信部３０４と、接続機器（テレビジョン装置２００など）に機器操作に関する画面を表示させるためのＯＳＤ部３０５とを備えている。
【００３２】
また、テレビジョン装置２００とＢＤレコーダ３００とは、ＨＤＭＩケーブル４０１を介して互いに接続されている。したがって、放送番組を視聴する場合は、リモコン装置１００を用いてテレビジョン装置２００が操作されるとともに、放送番組を録画する場合は、リモコン装置１００を用いてＢＤレコーダ３００が操作される。また、録画番組を再生する場合には、リモコン装置１００を用いてＢＤレコーダ３００が操作されることにより、記録部３０２に録画されている映像／音声信号がＨＤＭＩケーブル４０１を介してテレビジョン装置２００から出力される。このように、リモコン装置１００を使用してテレビジョン装置２００およびＢＤレコーダ３００をそれぞれ操作することにより、本発明の「リモコンシステム」が構成されている。
【００３３】
リモコン装置１００が上記のように構成されることにより、次のような動作を行うことが可能に構成されている。すなわち、本実施形態では、本体部１０（入力部１１および入力部１２）の載置面１０ａに取扱説明書２５０を載置した状態で、ユーザが取扱説明書２５０の記載内容に対応する操作部分（操作領域）を指などで選択的に触れながらテレビジョン装置２００に対する所定の操作が行えるように構成されている。以下、この点について詳細に説明する。
【００３４】
取扱説明書２５０は、図４に示すように、表紙ＦＳおよび裏表紙ＲＳを含めた合計７枚のシートが綴られた小冊子として構成されている。また、各ページは、一般的な紙の材料を用いて仕上げられている。また、ページを閉じた状態での取扱説明書２５０のサイズ（縦×横）は、折り畳まれた本体部１０（図２参照）のサイズ（縦×横）とほぼ等しい。また、取扱説明書２５０を構成する各々のページには、テレビジョン装置２００に対する操作方法が記載されている。たとえば、テレビジョン装置２００購入時のチャンネル設定（機器設定）などに関する操作方法や、視聴時の一般的な操作方法などが記載されている。
【００３５】
また、図５に示すように、取扱説明書２５０の見開き第３ページ目が開かれた状態では、左側（Ｘ１側）の冊子片（３枚分）が入力部１１に載置されるとともに、右側（Ｘ２側）の冊子片（４枚分）が入力部１２に載置されるように構成されている。また、取扱説明書２５０は、冊子が完全に閉じられた状態（図４において表紙ＦＳを完全に閉じた状態）であっても、入力部１１上または入力部１２上に載置されるように構成されている。
【００３６】
そして、本実施形態では、図５に示した状態で、ユーザが指やタッチペン（図示せず）などを用いて左ページＰＬおよび右ページＰＲの記載内容に沿って各ページ内の所定の領域（操作部分）に選択的に触れることにより、記載内容に対応するユーザの操作指示（リモコンの操作内容）が入力部１１および１２を介して本体部１０に受け付けられるように構成されている。なお、左ページＰＬは、本発明の「第１ページ」の一例であり、右ページＰＲは、本発明の「第２ページ」の一例である。
【００３７】
この場合、図６に示すように、左ページＰＬにおける操作内容の記載箇所に対応する操作部分の裏側（紙面の奥側）に対向するタッチパネル部１５の部分が選択的に押圧されることにより、その押圧された部分（タッチパネル部１５の座標位置）に対応するテレビジョン装置２００（図３参照）に対するユーザの操作指示が、入力部１１に受け付けられるように構成されている。同様に、右ページＰＲにおける操作内容の記載箇所に対応する操作部分の裏側（紙面の奥側）に対向するタッチパネル部１７の部分が選択的に押圧されることにより、その押圧された部分（タッチパネル部１７の座標位置）に対応するユーザの操作指示が、入力部１２に受け付けられるように構成されている。したがって、取扱説明書２５０を構成する各ページは、少なくともタッチパネル部１５または１７に重なる操作部分となる領域Ｓ（タッチパネル部を示す破線部の枠内）およびその近傍（領域Ｓの内側を含む））に、ユーザが直接触れる部分（ボタンの絵など）が記載されている。
【００３８】
また、本実施形態では、図１に示すように、入力部１２には、電波による個体識別（ＲＦＩＤ）を行うためのＲＦＩＤ読取部２５が設けられている。ＲＦＩＤ読取部２５は、入力部１２に内蔵されており、ＲＦＩＤ読取部２５は、筐体１６の枠状部１６ａのＸ１側かつＹ１側の隅部よりもタッチパネル部１７寄りの位置において、読取り用の電波が紙面手前側（取扱説明書２５０（図５参照）が載置される側）に放射されるように構成されている。また、図７に示すように、取扱説明書２５０の裏表紙ＲＳには、ＲＦタグまたはＩＣタグからなる識別部２５２が貼り付けられている。識別部２５２には、取扱説明書２５０がテレビジョン装置２００の取扱説明書であるという情報が予め書き込まれている。そして、図６に示すように、識別部２５２（破線で示す）は、裏表紙ＲＳを下（紙面奥側）にして取扱説明書２５０を入力部１２に載置した際に、枠状部１６ａに配置されたＲＦＩＤ読取部２５（破線で示す）に対して重なる（対向する）ように設けられている。なお、ＲＦＩＤ読取部２５は、本発明の「第１検出部」の一例であり、識別部２５２は、本発明の「操作対象機器識別情報」の一例である。
【００３９】
これにより、リモコン装置１００では、取扱説明書２５０（裏表紙ＲＳ）が入力部１２に載置された際、ＲＦＩＤ読取部２５により識別部２５２の情報が読み取られる。そして、制御部２０により、ＲＦＩＤ読取部２５の検出結果に基づいて、取扱説明書２５０がテレビジョン装置２００に対応した取扱説明書であることが特定されるように構成されている。
【００４０】
また、本実施形態では、図１に示すように、入力部１２には、反射型のフォトセンサ２６が設けられている。また、フォトセンサ２６は複数（６個）設けられており、各々が入力部１２に内蔵されている。また、フォトセンサ２６は、筐体１６のＹ２側の枠状部１６ａにおいて、発光素子２６ａから検出光（図８において破線の矢印で示す）が紙面手前側（取扱説明書２５０（図５参照）が載置される側）に出射されるように構成されている。また、６個のフォトセンサ２６は、Ｘ方向に延びる枠状部１６ａに沿って互いに略等間隔を有して直線的に配置されている。また、図７に示すように、取扱説明書２５０には、複数（６個）の穴部２５３ａ〜２５３ｆが設けられている。そして、穴部２５３ａ〜２５３ｆは、裏表紙ＲＳを下（図８におけるＺ２側）にして取扱説明書２５０を入力部１２に載置した際に、各々の穴中心が、枠状部１６ａに配置された６個のフォトセンサ２６の各々の中心（発光素子２６ａの光軸）に重なるように構成されている。なお、フォトセンサ２６は、本発明の「第２検出部」の一例であり、穴部２５３ａ〜２５３ｆは、本発明の「ページ識別部」の一例である。
【００４１】
これにより、リモコン装置１００では、取扱説明書２５０（裏表紙ＲＳ）が入力部１２に載置された際、フォトセンサ２６により穴部２５３ａ〜２５３ｆの状態（穴部の開閉状態）が検出される。そして、制御部２０により、フォトセンサ２６による取扱説明書２５０の開かれたページ（見開きページ）の検出結果に基づいて、取扱説明書２５０の現在開かれているページの記載内容（操作内容）が特定されるように構成されている。
【００４２】
ここで、フォトセンサ２６によるページの検出方法について説明する。図８に示すように、穴部２５３ａ〜２５３ｆは、それぞれ、取扱説明書２５０の裏表紙ＲＳから表紙ＦＳに向かって互いに異なる長さを有している。この場合、穴部２５３ａ（Ｘ１側）から穴部２５３ｆ（Ｘ２側）に向かうにしたがって、冊子のページ１枚分の厚みずつ穴部の長さが増加する。具体的には、穴部２５３ａは、取扱説明書２５０の裏表紙ＲＳ（第７枚目）のみを貫通する長さを有する。穴部２５３ｂは、裏表紙ＲＳおよび第６枚目を貫通し、穴部２５３ｃは、裏表紙ＲＳから第５枚目まで（３枚分）を貫通する長さを有する。穴部２５３ｄは、裏表紙ＲＳから第４枚目まで（４枚分）を貫通し、穴部２５３ｅは、裏表紙ＲＳから第３枚目まで（５枚分）を貫通する長さを有する。また、穴部２５３ｆは、裏表紙ＲＳから第２枚目まで（６枚分）を貫通する長さを有する。すなわち、シート毎に見た場合、第７枚目の裏表紙ＲＳには穴部２５３ａ〜２５３ｆの全てが貫通し、第６枚目には穴部２５３ｂ〜２５３ｆ（５つ）が貫通する。また、第５枚目には穴部２５３ｃ〜２５３ｆ（４つ）が貫通し、第４枚目には穴部２５３ｄ〜２５３ｆ（３つ）が貫通し、第３枚目には穴部２５３ｅおよび２５３ｆ（２つ）が貫通する。そして、第２枚目には穴部２５３ｆのみが貫通し、第１枚目の表紙ＦＳには、穴部が全く形成されていない。なお、図８では、穴部の構造を説明する都合上、取扱説明書２５０のページ１枚分の厚みを誇張して図示している。
【００４３】
穴部２５３ａ〜２５３ｆがこのように形成されることにより、たとえば、図８に示すように、入力部１２上において冊子が完全に閉じられた状態では、穴部２５３ａ〜２５３ｆの全ての開口が、フォトセンサ２６と反対側（Ｚ１側）においてシート（ページ）の下面によって塞がれる状態になる。したがって、発光素子２６ａから出射された検出光が各シートの下面で反射され、その反射光（破線の矢印で示す）が受光素子２６ｂに入射される。この場合、６個のフォトセンサ２６の全てにおいて反射光が検出される。そして、本体部１０においては、制御部２０によって、この検出状態（開＝０個であり閉＝６個の状態）が、取扱説明書２５０が完全に閉じられている状態（見開きページがない状態）であると認識されるように構成されている。
【００４４】
また、図９に示すように、表紙ＦＳ、第２枚目および第３枚目の３枚分が反転して入力部１１側（左側）に載置されるとともに、第４〜第７枚目（裏表紙ＲＳ）の４枚分が入力部１２側（右側）に載置されることにより、見開き第３ページ目が開かれている状態では、連続する３つの穴部２５３ａ〜２５３ｃが閉じられている一方、次に連続する３つの穴部２５３ｄ〜２５３ｆが上方（Ｚ１方向）に貫通する状態になる。したがって、６つのフォトセンサ２６のうちの３個は受光素子２６ｂが反射光（破線の矢印）を検出し、残りの３個は受光素子２６ｂが反射光を検出しない。そして、本体部１０においては、制御部２０によって、この検出状態（開＝３個であり閉＝３個の状態）が、取扱説明書２５０が見開き第３ページ目が開かれている状態であると認識されるように構成されている。なお、図９においても、穴部の構造を説明する都合上、ページ１枚分の厚みを誇張して図示している。本実施形態では、取扱説明書２５０は、ページを右から左にめくって見開きページを変更する（ページを増やす）にしたがって、入力部１２側の最上面（Ｚ１側）のシートから露出する穴部（貫通孔）の開口の数が１個ずつ増加されるように構成されている。
【００４５】
そして、本実施形態では、フォトセンサ２６による取扱説明書２５０の開かれたページ（見開きページ）の検出結果に基づいて、その開かれたページに記載された操作内容に対応した制御信号が送信部２１からテレビジョン装置２００に無線送信されるように構成されている。たとえば、見開き第１ページ目が開かれている状態（フォトセンサ２６が、穴部２５３ｆのみが貫通していることを検出した状態（穴部２５３ｆに対応するフォトセンサ２６のみが反射光を検出しない状態））では、リモコン装置１００が、テレビジョン装置２００購入時のチャンネル設定に関する操作を行うための動作モードになるように構成されている。また、たとえば、見開き第４ページ目が開かれている状態（フォトセンサ２６が、穴部２５３ｃ〜２５４ｆが貫通した状態を検出した場合）では、リモコン装置１００が、テレビ番組の視聴予約（テレビ番組表から所望の番組を検索しておき、そのテレビ番組の視聴時間になった際にテレビジョン装置２００の主電源をＯＮ状態にするような機器設定）に関する操作が行えるように構成されている。
【００４６】
このように、リモコン装置１００では、本体部１０に載置された取扱説明書の種類に応じてテレビジョン装置２００用の操作信号またはＢＤレコーダ３００用の操作信号が選択的に送信部２１から送信されるように構成されている。また、個々の取扱説明書においても開かれたページ（見開きページ）が本体部１０側で検出されることにより、その開かれたページ（見開きページ）に記載された操作内容に対応した制御信号が送信部２１から無線送信されるように構成されている。
【００４７】
また、本実施形態では、図６に示すように、取扱説明書２５０を開いた状態での左ページＰＬに記載された操作内容に基づくユーザの操作指示と、右ページＰＲに記載された操作内容に基づくユーザの操作指示とによって、たとえばテレビジョン装置２００などの操作対象機器に対する所定の操作が完結されるように構成されている。この点については、後ほど、図１１を参照してその具体例（一例）を説明する。このようにして、リモコン装置１００は構成されている。
【００４８】
次に、図１〜図５、図７および図９〜図１１を参照して、本実施形態によるリモコン装置１００を用いて操作対象機器を操作する際の制御部２０の処理フローについて説明する。なお、以下の説明では、リモコン装置１００が図２の状態（折り畳んだ状態（非使用時））から図１の状態（開いた状態（使用時））に形状が変更された後の本体部１０の制御動作を記載する。また、取扱説明書として、主に、テレビジョン装置２００の取扱説明書２５０を例にとって説明する。
【００４９】
図１０に示すように、まず、ステップＳ１では、制御部２０（図３参照）により、本体部１０（入力部１１および入力部１２）に取扱説明書２５０が載置されたか否かが判断されるとともに、本体部１０に取扱説明書２５０が載置されたと判断されるまでこの処理が繰り返される。すなわち、本体部１０の動作としては、ＲＦＩＤ読取部２５（図３参照）から読取り用の電波が放射される。そして、図５に示すように、取扱説明書２５０がユーザによって本体部１０に載置された場合には、ＲＦＩＤ読取部２５上に、裏表紙ＲＳの識別部２５２（図７参照）が対向するように配置されるので、ＲＦＩＤ読取部２５は、識別部２５２に書き込まれている情報を読み取ることが可能となる。
【００５０】
ステップＳ１において、ＲＦＩＤ読取部２５が識別部２５２の存在を検出した場合（制御部２０により、本体部１０に取扱説明書２５０が載置されたと判断された場合）、ステップＳ２において、ＲＦＩＤ読取部２５により識別部２５２が有する情報が読み取られる。
【００５１】
続いて、ステップＳ３では、６個のフォトセンサ２６（図３参照）を用いて、取扱説明書２５０の開かれたページ（見開きページ）が検出される。すなわち、本体部１０の動作としては、フォトセンサ２６から検出光が出射される。そして、図９に示すように、取扱説明書２５０がユーザによって本体部１０に載置された場合には、６個のフォトセンサ２６上に、穴部２５３ａ〜２５３ｆがそれぞれ対向するように配置されるので、フォトセンサ２６は、穴部２５３ａ〜２５３ｆからの反射光の有無を検出することが可能となる。この場合、穴部２５３ａ〜２５３ｃに対応する３個のフォトセンサ２６は反射光（破線矢印）を検出し、穴部２５３ｄ〜２５３ｆに対応する３個のフォトセンサ２６は反射光を検出しない。
【００５２】
そして、ステップＳ４では、ステップＳ２での検出結果およびステップＳ３での検出結果に基づいて、リモコン装置１００の動作モードが決定される。たとえば、本体部１０に取扱説明書２５０（図５参照）が載置され、かつ、チャンネル設定（機器設定）に関する操作方法が記載されたページ（見開き第３ページ目）が開かれている場合には、制御部２０により、リモコン装置１００がテレビジョン装置２００（図３参照）用のリモコン装置として振舞うように本体部１０内部の動作設定が変更される。
【００５３】
また、たとえば、本体部１０に取扱説明書３５０（図１１参照）が載置され、かつ、テレビ番組の録画予約に関する操作方法が記載されたページが開かれている場合には、制御部２０により、リモコン装置１００がＢＤレコーダ３００（図３参照）用のリモコン装置として振舞うように本体部１０内部の動作設定が変更される。リモコン装置１００では、このような制御フローが実行された後に、各々の操作対象機器（テレビジョン装置２００またはＢＤレコーダ３００）に応じたリモコン操作に関する動作が開始される。
【００５４】
そして、ステップＳ５では、制御部２０により、本体部１０（入力部１１および入力部１２）から取扱説明書２５０が外されたか否かが判断される。すなわち、本体部１０の動作としては、ＲＦＩＤ読取部２５が裏表紙ＲＳの識別部２５２を検出中の状態であるか否かが判断される。ステップＳ５において、ＲＦＩＤ読取部２５が識別部２５２を検出していないことが判断された場合（制御部２０により、本体部１０から取扱説明書２５０が外されたと判断された場合）、リモコン装置１００の制御は終了される。また、ステップＳ５において、ＲＦＩＤ読取部２５が識別部２５２を検出中であることが判断された場合（制御部２０により、本体部１０から取扱説明書２５０が外されていないと判断された場合）、ステップＳ３に戻り、以降同様の制御を繰り返す。このようにして、リモコン装置１００の制御は行われる。
【００５５】
次に、図１、図３、図１０および図１１を参照して、本実施形態によるリモコン装置１００を用いてテレビジョン装置２００に接続されたＢＤレコーダ３００を操作する際のリモコン装置１００の具体的な操作方法を説明する。ここでは、ＢＤレコーダ３００においてテレビ番組の録画予約を行う場合のリモコン装置１００の操作方法を説明する。
【００５６】
はじめに、ＢＤレコーダ３００およびテレビジョン装置２００が、所定の状態で動作されていたとする。そして、図１１に示すように、ユーザが、ＢＤレコーダ３００（図３参照）の取扱説明書３５０をリモコン装置１００の本体部１０に載置するとともに、ＢＤレコーダ３００を用いてテレビ番組の録画予約を行うための操作内容が記載されたページが開かれたとする。なお、取扱説明書３５０における録画予約を行うための操作内容が記載されたページは、左ページＰＬと右ページＰＲとによって構成されている。したがって、ユーザは、左ページＰＬを見ながら指などでページ内の所定の領域を選択的に押圧して操作指示（設定事項）を入力するとともに、右ページＰＲに対しても同様の手順を踏む。この見開き１ページ分で、ＢＤレコーダ３００に対する録画予約の操作が完結されるように構成されている。
【００５７】
この場合、まず、本体部１０は、現在載置されている取扱説明書がＢＤレコーダ３００の取扱説明書３５０であり、かつ、テレビ番組の録画予約を行うための操作内容が記載されたページ（見開きページ）が開かれていることを認識する（図１０におけるステップＳ１〜Ｓ３までの処理動作）。そして、リモコン装置１００は、ＢＤレコーダ３００を操作するためのリモコン装置としての動作モードに切り換わる（図１０におけるステップＳ４の処理動作）。そして、直ちに、本体部１０の送信部２１（図３参照）から所定の制御信号がＢＤレコーダ３００の操作信号受信部３０４（図３参照）に向けて送信される。
【００５８】
ＢＤレコーダ３００側では、リモコン装置１００からの制御信号を受けて制御部３０３（図３参照）の指令に基づき、ＯＳＤ部３０５（図３参照）が駆動される。これにより、ＨＤＭＩケーブル４０１（図３参照）を介して接続されたテレビジョン装置２００（図３参照）の表示部２０２（図３参照）に、テレビ番組の録画予約に関する画面（図示せず）が表示される。ここで、表示部２０２に表示される画面には、テレビ番組の録画予約を行うための設定情報が表示される。この設定情報には、録画を行うテレビ番組が放送される「日付」、「曜日」、「チャンネル番号」、「時間帯」および録画操作に付随する「その他の設定情報」が含まれる。また、この設定情報は、所定のデフォルト値（たとえば、本日または現時点でＢＤレコーダ３００が受信するように設定されているチャンネル番号など）が代入された状態で表示部２０２に仮表示されていてもよい。あるいは、すべて空白であってもよい。
【００５９】
そして、図１１に示すように、ユーザは、手元のリモコン装置１００に載置された取扱説明書３５０の左ページＰＬおよび右ページＰＲの領域Ｓ内を指でなぞりながら、テレビ番組の録画予約を行うための操作を行う。操作内容を順番に説明すると、まず、ユーザは、左ページＰＬの記載内容に沿って、録画を行う「日付」および「曜日」を指定するための操作を行う。この際、左ページＰＬの太枠線３６１または３６２で囲まれた所定領域を指で押圧することにより、録画を行う「日付」および「曜日」を指定することが可能となる。つまり、太枠線３６１または３６２に対応する部分（領域）のタッチパネル部１５（図１参照）が冊子の左ページＰＬを介して選択的に押圧されることにより、その操作指示が入力部１１（図１参照）から本体部１０に受け付けられる。また、制御部２０（図３参照）によりＢＤレコーダ３００に向けてユーザの操作指示がその都度送信される。これにより、テレビジョン装置２００の表示部２０２には、現在のリモコン操作の進捗状況が反映される。一例として、表示部２０２に表示される画面には、新たに入力された録画予約の「日付」や「曜日」に反映するように、その設定された日付／曜日に対応するテレビ番組表が表示されるようになる。
【００６０】
また、同様の手順で、ユーザは、取扱説明書３５０の右ページＰＲにも目を移し、右ページＰＲの記載内容に沿って録画を行うテレビ番組の情報としての「放送局（チャンネル番号）」、「録画の時間帯」、および、録画の際の「その他の設定情報」を順次指定する操作を行う。すなわち、右ページＰＲの太枠線３６３〜３６８の各々によって囲まれた領域を指で選択的に押圧することにより、録画を行う「放送局（チャンネル番号）」、「録画時間帯」および「その他の設定情報」を指定することが可能となる。なお、選局ボタンが印刷された太枠線３６３および３６５の部分（三角形のボタンの絵の部分）を所定回数だけ押圧することで、選局（設定するチャンネル番号のアップ／ダウン）を行うことができる。この際も、制御部２０（図３参照）によりＢＤレコーダ３００に向けてその都度信号が送信されるので、テレビジョン装置２００の表示部２０２にもリモコン操作の進捗状況がリアルタイムに反映される。なお、「その他の設定情報」としては、たとえば、録画予約を行うテレビ番組が、毎日（同じ時間帯に）放送されるものか、毎週同じ曜日に放送されるものかによって定期的な録画を行うことを予め設定しておく内容が含まれる。あるいは、このような定期的な録画を行わないことも設定可能である。このような設定内容の一例は、右ページＰＲ内の太枠線３６６〜３６８の領域内に記載されている。
【００６１】
そして、図１１に示すように、右ページＰＲ内の確定ボタンを示す太枠線３７０の部分が押圧されることによって、全ての入力操作が完了される。これにより、ＢＤレコーダ３００には、テレビ番組の録画予約が設定される。そして、録画予約の設定と同時に、「録画予約が完了しました。マニュアルを閉じてください。」などのメッセージが表示部２０２に表示される。また、録画予約の最中に何らかの理由でユーザが操作指示を中止したい場合には、中止ボタンを示す太枠線３７１の部分が押圧されることによって、全ての入力操作がキャンセルされる。ユーザによる太枠線３７０または３７１の押圧とともに、表示部２０２にＯＳＤ表示されていた録画予約に関する画面は消される。そして、ＢＤレコーダ３００およびテレビジョン装置２００は、録画予約を行う前の動作状態に戻される。
【００６２】
なお、上記したテレビ番組の録画予約を行う際、取扱説明書３５０を用いたリモコン装置１００の操作に連動するようにテレビジョン装置２００の表示部２０２に操作内容の進捗状況が反映されているが、このような動作内容（ＢＤレコーダ３０のＯＳＤ部３０５によるテレビジョン装置２００の表示部２０２への表示動作）は、上記のようにＢＤレコーダ３００側の制御部３０３によって制御されるようにＢＤレコーダ３００が構成されていてもよいし、リモコン装置１００の制御部２０からＢＤレコーダ３００にＯＳＤ表示のための制御信号が逐次的に送信されて、リモコン装置１００（制御部２０）によってＢＤレコーダ３００に対する全ての動作が制御されるようにリモコン装置１００が構成されていてもよい。
【００６３】
また、取扱説明書３５０を使用したＢＤレコーダ３００の操作方法は、上記以外にも挙げられる。たとえば、現在放送中のテレビ番組を録画したい場合には、ユーザは、取扱説明書３５０の録画に関する操作内容が記載されたページを開く。また、機器（ＢＤレコーダ３００）の各種設定を行いたい場合には、取扱説明書３５０の機器の各種設定に関する操作内容が記載されたページを開く。ユーザが所望するページが開かれた場合、フォトセンサ２６（図３参照）によってその時点でのページ（見開きページ）が検出されて、リモコン装置１００は、開かれたページに関する動作モードに切り換わる。ここで、手元のリモコン装置１００のみで機器の操作が基本的に完結する内容（たとえば、スピーカ部２０３（図３参照）の音量を変化させる場合、主音声／副音声を切り換える場合、受信するチャンネル番号を変更する場合など）の場合には、ＯＳＤ部３０５などを使用したＯＳＤ表示が行われなくてもよい。
【００６４】
また、リモコン装置１００を用いた機器操作の他の例として、ＢＤレコーダ３００を用いて過去に録画されたテレビ番組をテレビジョン装置２００から再生する場合も考えられる。この場合、リモコン装置１００は、以下のような動作を行う。たとえば、テレビジョン装置２００が通常のテレビ番組を受信中である際に、ユーザが取扱説明書３５０をリモコン装置１００に載置し、録画番組の再生に関する操作内容が記載されたページを開いたとする。
【００６５】
リモコン装置１００としてはＢＤレコーダ３００における録画番組の再生に関するリモコン操作の信号（赤外線信号）を送信可能な状態に移行するが、この時点では、表示部２０２（図３参照）には、再生動作を示す操作画面はＯＳＤ表示されなくてもよい。そして、ユーザが、取扱説明書３５０の中の再生操作に関する記載内容の部分を指で押圧したことをトリガとして、再生動作を示す操作画面が表示部２０２の所定の領域内にＯＳＤ表示されるように構成されていてもよい。すなわち、再生操作に関する操作指示が行われない限り、再生動作を示す操作画面がＯＳＤ表示されなくてもよいように制御プログラムなどが構成されうる。また、録画予約の場合と異なり、録画番組の再生が開始された後に、ユーザが取扱説明書３５０の冊子を閉じたとしても、再生動作は継続されるようにリモコン装置１００が構成されているのが好ましい。
【００６６】
さらには、録画番組の再生中に、ユーザが取扱説明書３５０の他の見開きページを開いた場合、その開いたページに関する操作内容に連動した画面が表示部２０２にＯＳＤ表示されるように構成されていてもよい。すなわち、録画番組の再生中においては、取扱説明書３５０のページの変更とともにＢＤレコーダ３００の再生動作が一旦中断され、変更されたページに対応するように、現在放送中のテレビ番組の録画操作や、録画予約の操作や、ＢＤレコーダ３００の各種機器設定を行うための画面などが表示部２０２に割り込みで表示されてもよい。また、この場合、各々の操作が終了して取扱説明書３５０の冊子を閉じた際、ユーザの操作指示（再生を再開する操作指示）を仰ぐことなく、自動的にＢＤレコーダ３００の動作をそれまで中断していた録画番組の再生動作に戻すように構成してもよい。
【００６７】
このように、本発明の「リモコンシステム」においては、リモコン装置１００を用いて行う操作内容に応じて、操作対象機器の動作内容をリモコン装置側または操作対象機器側で予め設定しておくことが可能である。また、リモコン操作に応じて操作対象機器（テレビジョン装置２００およびＢＤレコーダ３００）をどのように振舞わせるかについては、リモコン装置１００側の制御部２０（制御プログラム）によって制御されるように構成してもよいし、リモコン装置１００からの制御信号の受信に基づいて操作対象機器側で各動作が個別に制御されるように、操作対象機器の各々（制御プログラム）を構成していてもよい。
【００６８】
本実施形態では、上記のように、操作内容が記載された取扱説明書２５０が載置され、取扱説明書２５０の操作内容に対応する操作部分（図１１に示す領域Ｓ）にユーザが選択的に触れることにより、取扱説明書２５０に対応するテレビジョン装置２００に対するユーザの操作指示を受け付ける入力部１１および１２を備えることによって、ユーザは、リモコン装置１００とは別体の取扱説明書２５０を本体部１０（入力部１１および１２）に物理的に載置した状態で、この取扱説明書２５０に選択的に触れてテレビジョン装置２００に対する操作を行うことができる。すなわち、ユーザは、載置した取扱説明書２５０を介してリモコン装置１００を操作することを把握するので、このようなリモコン装置１００を初めて使用するユーザにとってもリモコン装置１００の具体的な使い方（操作方法）が分かりやすいものとなる。
【００６９】
また、上記のように構成されることによって、まず、取扱説明書２５０をユーザ自身が本体部１０に載置するので、ユーザはこれから行うリモコン操作が、テレビジョン装置２００に対するものであることを実感しやすい。また、ユーザは、手に持った取扱説明書２５０に記載された操作内容を予め把握した状態でこの取扱説明書２５０を本体部１０に載置してリモコン操作を行うことができる。これにより、ユーザは、テレビジョン装置２００に対する操作内容についても容易に把握することができる。特に、リモコン装置１００によりテレビジョン装置２００やＢＤレコーダ３００を個別に操作する場合、たとえば、ユーザ自身がリモコン操作の対象がテレビジョン装置２００であることを予め把握している取扱説明書２５０を本体部１０に載置してリモコン操作を行うことができる。また、ＢＤレコーダ３００の場合にもリモコン操作の対象がＢＤレコーダ３００であることを予め把握している取扱説明書３５０を本体部１０に載置してリモコン操作を行うことができる。このように、操作対象機器に対する操作内容が容易に把握可能となる点で、本発明は非常に有効である。
【００７０】
また、本実施形態では、タッチパネル部１５および１７によって入力部１１および１２がそれぞれ構成されている。そして、取扱説明書２５０が本体部１０に重ねられた状態でユーザが取扱説明書２５０の操作内容に対応する操作部分（図１１に示す領域Ｓ）を選択的に押圧することにより、操作内容に対応する操作部分（領域Ｓ）の裏側に対向するタッチパネル部１５（左ページＰＬ側）およびタッチパネル部１７（右ページＰＲ側）の部分が選択的に押圧されて、テレビジョン装置２００に対するユーザの操作指示が入力部１１および１２に受け付けられる。これにより、指やタッチペンなどを用いてユーザが取扱説明書２５０の操作内容に対応する操作部分（領域Ｓ）を選択的に押圧することにより、取扱説明書２５０の裏面に対向するタッチパネル部１５および１７の部分を介してユーザの操作指示をリモコン装置１００に容易に入力することができる。
【００７１】
また、本実施形態では、本体部１０（入力部１１および１２）の載置面１０ａに載置された取扱説明書２５０に対応する操作対象機器がテレビジョン装置２００であることが識別可能に構成されている。また、載置面１０ａに載置された取扱説明書３５０に対応する操作対象機器がＢＤレコーダ３００であることが識別可能にも構成されている。そして、制御部２０により、識別されたテレビジョン装置２００またはＢＤレコーダ３００に対応した制御信号が送信部２１から送信されるように構成されている。これにより、１台のリモコン装置１００を用いて本体部１０に載置された取扱説明書に対応した操作対象機器（テレビジョン装置２００またはＢＤレコーダ３００）を個別に操作することができる。すなわち、複数の操作対象機器に対して１台のリモコン装置１００を兼用することができるので、ユーザにとっては利便性が向上される。
【００７２】
また、本実施形態では、テレビジョン装置２００用の取扱説明書２５０およびＢＤレコーダ３００用の取扱説明書３５０は、互いに、本体部１０に交換可能に載置されるように構成されている。そして、本体部１０に載置された取扱説明書２５０または取扱説明書３５０に基づいて、取扱説明書２５０に対応するテレビジョン装置２００が識別されるとともに、取扱説明書３５０に対応するＢＤレコーダ３００が識別される。これにより、本体部１０（入力部１１および１２）に載置される取扱説明書２５０と、載置された取扱説明書２５０に基づいて操作可能となるテレビジョン装置２００とを１対１対応で関係付けることができる。同様に、取扱説明書３５０とＢＤレコーダ３００とが１対１対応で関係付けられる。したがって、取扱説明書の交換とともに個々の操作対象機器に対応させてリモコン装置１００の動作モードを確実に切り換えることができる。
【００７３】
また、本実施形態では、取扱説明書２５０は、取扱説明書２５０に対応するテレビジョン装置２００を特定するための識別部２５２を有している。そして、取扱説明書２５０が本体部１０（入力部１１および１２）に重ねられた状態で識別部２５２を検出するＲＦＩＤ読取部２５を備えており、制御部２０は、ＲＦＩＤ読取部２５の検出結果に基づいて、取扱説明書２５０に対応するテレビジョン装置２００を特定するとともに、特定されたテレビジョン装置２００に対応した制御信号を送信部２１から送信する制御を行う。これにより、入力部１１および１２に取扱説明書２５０を載置するだけで、ＲＦＩＤ読取部２５により操作対象機器（テレビジョン装置２００）を容易に特定することができる。
【００７４】
また、本実施形態では、取扱説明書２５０は、操作内容が記載された複数のページに亘る冊子である。そして、本体部１０は、冊子を開いた状態での左ページＰＬが載置される入力部１１と右ページＰＲが載置される入力部１２とを含み、入力部１１と入力部１２との両方により受け付けられたユーザの操作指示に基づいて、テレビジョン装置２００に対する制御信号が送信部２１から送信されるように構成されている。これにより、左ページＰＬから右ページＰＲに亘る見開き１ページの中に所定の操作内容を盛り込んで取扱説明書２５０を構成したとしても、ユーザは、見開き１ページを見渡して全体的な操作の流れを容易に把握しながら所定のリモコン操作を行うことができる。これにより、リモコン装置１００の操作性を向上させることができる。
【００７５】
また、本実施形態では、冊子を開いた状態での左ページＰＬに記載された操作内容に基づくユーザの操作指示と、右ページＰＲに記載された操作内容に基づくユーザの操作指示とによって、たとえば、ＢＤレコーダ３００に対する録画予約を行うための一連の操作が完結されるように構成されている。これにより、左ページＰＬと右ページＰＲとからなる冊子の見開き１ページ分の操作指示によってＢＤレコーダ３００に対する録画予約を行う操作を完結させることができるので、リモコン装置１００の操作上、ユーザが現在のページに加えて冊子の他のページを開いて一連の操作を継続するような状況をなくすことができる。これにより、リモコン装置１００の操作性をより向上させることができる。
【００７６】
また、本実施形態では、取扱説明書２５０には、ページが識別可能な穴部２５３ａ〜２５３ｆが設けられている。また、本体部１０には、穴部２５３ａ〜２５３ｆを使用して取扱説明書２５０の開かれたページ（見開きページ）を検出するフォトセンサ２６が設けられている。そして、制御部２０は、フォトセンサ２６による取扱説明書２５０の開かれたページ（見開きページ）の検出結果に基づいて、開かれたページに記載された操作内容に対応した制御信号を送信部２１から送信する制御を行う。これにより、フォトセンサ２６を用いて取扱説明書２５０の現在開かれているページを容易に検出することができるので、その開かれたページに記載された操作内容を容易に特定することができる。
【００７７】
また、本実施形態では、取扱説明書２５０に対応するテレビジョン装置２００に対するユーザの操作指示が入力部１１および１２により受け付けられることにより、ユーザは、取扱説明書２５０の操作内容に沿ってテレビジョン装置２００の操作を行うことが可能に構成されている。これにより、テレビジョン装置２００に対する複雑（煩雑）な操作／設定などを行うような場合であっても、取扱説明書２５０の記載内容（操作内容）を指などで追い掛けながら、必要な操作内容が記載された部分を選択的に触れてテレビジョン装置２００に対する操作を行うことができる。すなわち、機器の取扱説明書としての記載情報がリモコン装置１００の操作内容に結び付けられた取扱説明書２５０を有効に利用してテレビジョン装置２００に対する操作を行うことができるので、リモコン装置１００の付加価値を高めることができる。
【００７８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７９】
たとえば、上記実施形態では、リモコン装置の操作対象機器として、テレビジョン装置２００およびＢＤレコーダ３００を例示したが、本発明はこれに限られない。リモコン装置の本体部に操作用シート（取扱説明書など）を載置して操作用シートを介してリモコン操作を行うことが可能な機器であれば、テレビジョン装置２００およびＢＤレコーダ３００以外の操作対象機器に本発明を適用してもよい。また、本発明のリモコン装置を用いて録画機能付きのテレビジョン装置を操作するように構成してもよい。
【００８０】
また、上記実施形態では、本体部１０が入力部１１および１２を備えており、非使用時には入力部１１をヒンジ部１３を介して入力部１２上に折り畳むようにしてリモコン装置１００を構成した例について示したが、本発明はこれに限られない。本発明では、１つの入力部のみからなる本体部を備えていてもよい。すなわち、ヒンジ部などの折り畳み構造を有しない概略薄板形状のリモコン装置に本発明を適用してもよい。
【００８１】
また、上記実施形態では、ＲＦＩＤ読取部２５により識別部２５２の情報が読み取られて取扱説明書の操作対象機器が特定されるように構成した例について示したが、本発明はこれに限られない。本発明では、フォトセンサ２６を用いてページを検出した場合と同様に、取扱説明書に冊子を貫通する孔部（貫通孔）を所定数設けておき、フォトセンサを用いて貫通孔の数を検出することによって取扱説明書の操作対象機器が特定されるように構成してもよい。たとえば、反射光が全く検出されない場合にはテレビジョン装置の取扱説明書として認識され、反射光が１つだけ検出される場合にはＤＢレコーダの取扱説明書として認識され、反射光が２つだけ検出される場合にはＳＴＢ（セットトップボックス）の取扱説明書として認識されるように構成することも可能である。
【００８２】
また、上記実施形態では、反射型のフォトセンサ２６を用いて冊子のページを検出した例について示したが、本発明はこれに限られない。本発明では、互いに対向するように配置された発光素子と受光素子とからなるフォトインタラプタを用いて冊子のページを検出してもよい。すなわち、フォトインタラプタを本体部１０に設けた場合、互いに対向する発光素子と受光素子との間に冊子が挿入される際に、冊子に形成された複数の穴部の個々の開閉状態がフォトインタラプタで検出されることにより、この開閉状態の検出パターンに応じて冊子のページ（見開きページ）が判別されるように構成されていてもよい。
【００８３】
また、上記実施形態では、取扱説明書２５０および３５０を一般的な紙の材料を使用して冊子状に形成した例について示したが、本発明はこれに限られない。本発明では、紙以外のたとえば樹脂材料などからなるフィルム状（層状）のシートを使用して本発明の「操作用シート」を構成してもよい。
【００８４】
また、上記実施形態では、取扱説明書２５０および３５０を背表紙側で冊子状に綴じた例について示したが、本発明はこれに限られない。本発明では、操作用シートは、個々のページが互いに分割可能（分離可能）であることを前提として冊子状に綴じられていてもよい。また、取扱説明書を構成する冊子のページ数も問わない。ただし、リモコン装置上で取扱説明書を押圧しながらリモコン操作を行うことを考慮すると、取扱説明書のページ数はより少ない（操作用シートの厚みがより薄い）ことが好ましい。
【００８５】
また、上記実施形態では、取扱説明書３５０を開いた状態での左ページＰＬに記載された操作内容に基づくユーザの操作指示と、右ページＰＲに記載された操作内容に基づくユーザの操作指示とによって、ＢＤレコーダ３００に対する録画予約の操作が完結されるように構成した例について示したが、本発明はこれに限られない。本発明では、片側のみのページに記載された操作内容に基づくユーザの操作指示によって、操作対象機器に対する所定の操作が完結されるように構成してもよい。この場合、本体部１０において取扱説明書の見開きページが認識された際、左ページＰＬに対応する入力部１１のタッチパネル部１５が押圧されたことに基づいて左ページＰＬに対応するリモコンの動作モードに切り換わるとともに、右ページＰＲに対応する入力部１２のタッチパネル部１７が押圧されたことに基づいて右ページＰＲに対応するリモコンの動作モードに切り換わるようにリモコン装置１００が構成されていればよい。
【００８６】
また、上記実施形態では、説明の便宜上、リモコン装置１００に取扱説明書２５０を載置した際の一般的な制御部２０の制御処理を、処理フローに沿って順番に処理を行うフロー駆動型のフローチャートを用いて説明したが、本発明はこれに限られない。本発明では、制御部２０の制御処理を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００８７】
１１  入力部（受付部、第１受付部）
１２  入力部（受付部、第２受付部）
２０  制御部
２１  送信部
２５  ＲＦＩＤ読取部（第１検出部）
２６  フォトセンサ（第２検出部）
１００  携帯端末装置（リモコン装置）
２００  テレビジョン装置（操作対象機器）
２５０、３５０  取扱説明書（操作用シート）
２５２  識別部（操作対象機器識別情報）
２５３ａ〜２５３ｆ  穴部（ページ識別部）
３００  ＢＤレコーダ（操作対象機器）
ＰＬ  左ページ（第１ページ）
ＰＲ  右ページ（第２ページ）
【図１】
2013239760.tif 000003
【図２】
2013239760.tif 000004
【図３】
2013239760.tif 000005
【図４】
2013239760.tif 000006
【図５】
2013239760.tif 000007
【図６】
2013239760.tif 000008
【図７】
2013239760.tif 000009
【図８】
2013239760.tif 000010
【図９】
2013239760.tif 000011
【図１０】
2013239760.tif 000012
【図１１】
2013239760.tif 000013